(57)【特許請求の範囲】
【請求項１】
多数種類の調理メニューに応じた調理プログラムを記憶する記憶手段と、
これら多数種類の調理メニューのうち指示操作を容易にすることができる程度に数少ない調理メニューを表示するために前記調理メニューの種類数よりも少ない複数個設けられ各々が一つの調理メニューを表示するようになっている選抜メニュー表示部と、
前記多数種類の調理メニューのなかから使用者によって個々に選択された各調理メニューを前記各選抜メニュー表示部に個々に設定しこれを表示させるメニュー選抜手段と、
前記各選抜メニュー表示部毎に設けられこれら各選抜メニュー表示部に表示されている調理メニューの実行を指示するための操作部と、
この操作部にて指示された調理メニューに応じた調理プログラムに従って加熱調理を実行する調理実行手段とを具備してなる加熱調理器。
【請求項２】
各選抜メニュー表示部は加熱調理器の操作パネルに設けられた１個のカード装着部と１つの調理メニューが表示されていると共にそのメニューコードを表す判別部が一体的に設けられ夫々が前記カード装着部に着脱自在に装着可能な前記多数種類の調理メニューに対応した多数のカードとからなり、メニュー選抜手段は前記カード装着部に設けられ前記カードがこのカード装着部に装着されたときそのカードの前記判別部からその調理メニューを読取るための判別手段からなり、前記操作部は前記カード装着部に装着されたカードが押圧操作されたことに応答して調理実行手段に実行を指示するようになっていることを特徴とする請求項１記載の加熱調理器。
【請求項３】
選抜メニュー表示部とは別の表示部を備えるものであって、カード装着部にカードが装着されたとき又はそのカードに記された調理メニューが指示されたときに、前記表示部にその調理メニューが表示されることを特徴とする請求項２記載の加熱調理器。
【請求項４】
選抜メニュー表示部とは別の表示部を備えるものであって、調理メニューには番号が付されており、カード装着部にカードが装着されたとき又はそのカードに記された調理メニューが指示されたときに、前記表示部にその調理メニューの番号が表示されることを特徴とする請求項２又は３記載の加熱調理器。
【請求項５】
選抜メニュー表示部がタッチパネルから構成されていることにより、選抜メニュー表示部が操作部を兼ねていることを特徴とする請求項１記載の加熱調理器。
【発明の詳細な説明】
【０００１】
【発明の属する技術分野】
本発明は、使用者により指示された調理メニューに基づいて加熱調理を自動的に実行する加熱調理器に関する。
【０００２】
【発明が解決しようとする課題】
加熱調理器例えばオーブン機能付きの電子レンジにおいては、予めマイコンに多数種類の自動調理メニューに応じた調理プログラムを記憶させておき、使用者がそれら自動調理メニューのなかから所望の調理メニューを選択することに基づいて、対応する調理プログラムに従って加熱調理を自動的に実行するようにしたものが供されている。尚、使用者が、加熱の態様（レンジ強、レンジ弱、オーブン等）や加熱時間等を手動設定して調理を行う手動調理の実行が可能なことは勿論である。
【０００３】
この場合、電子レンジの操作パネルには、多数種類の自動調理メニューが記載されていると共に、各自動調理メニューに対応した多数個のＬＥＤが設けられ、自動調理メニューを選択するにあたっては、使用者は、キーの押圧操作あるいはダイヤルの回動操作により、所望の調理メニューに対応したＬＥＤを点灯させるようにし、その後スタートキーをオン操作するようになっていた。
【０００４】
ところで、近年では、使用者の嗜好の多様化や電子レンジの性能の向上等の事情により、調理メニューが多様化し増加する傾向にある。ところが、調理メニューが多数種類例えば数十種類にも増大すると、全ての調理メニューを操作パネルに記載（表示）しようとすると、文字が小さくなって使用者にとって視認性が悪くなり、また、所望の調理メニューを選ぶまでに何度もキー操作やダイヤル操作を行わなければならないなど、操作が面倒となってしまう不具合が生ずる。このとき、使用者にとっては、全く使用することのない調理メニューまでもが操作パネルに記載（表示）されていることもあり、余分なスペースを要してしまうことになる。
【０００５】
本発明は上記事情に鑑みてなされたもので、調理メニューに基づいて加熱調理を自動的に実行するものにあって、操作パネルにおける調理メニューの視認性の向上及びメニューを選択指示する際の操作性の向上を図ることができる加熱調理器を提供するにある。
【０００６】
【課題を解決するための手段】
調理メニューに基づいて加熱調理を自動的に実行する加熱調理器においては、選択可能な全ての自動調理に係る調理メニューをまんべんなく実行する使用者はごくまれであり、一般には、一家庭が頻繁に使用する調理メニューは、たかだか数種類に過ぎない。従って、使用者が、多数種類存在する調理メニューのなかから自ら使用頻度が高いと考えられるいくつかの調理メニューを選抜するようにし、その選抜された調理メニューの加熱調理のみを実行可能とする構成としても、その使用者にとってほとんど支障はなく、むしろ調理メニューの選択操作が容易となる等の大きなメリットを得ることができるのである。
【０００７】
本発明の請求項１の加熱調理器は、多数種類の調理メニューに応じた調理プログラムを記憶する記憶手段と、これら多数種類の調理メニューのうち指示操作を容易にすることができる程度に数少ない調理メニューを表示するために前記調理メニューの種類数よりも少ない複数個設けられ各々が一つの調理メニューを表示するようになっている選抜メニュー表示部と、前記多数種類の調理メニューのなかから使用者によって個々に選択された各調理メニューを前記各選抜メニュー表示部に個々に設定しこれを表示させるメニュー選抜手段と、前記各選抜メニュー表示部毎に設けられこれら各選抜メニュー表示部に表示されている調理メニューの実行を指示するための操作部と、この操作部にて指示された調理メニューに応じた調理プログラムに従って加熱調理を実行する調理実行手段とを具備する構成に特徴を有する。
【０００８】
これによれば、使用者は、メニュー選抜手段により、多数種類存在する調理メニューのなかから所望のいくつかの調理メニューを選抜することができる。そして、選抜された調理メニューは選抜メニュー表示部に表示され、その後は、操作部により、選抜されている調理メニューを指示すれば、調理実行手段により、その調理メニューに応じた調理プログラムに従って加熱調理が実行される。この場合、選抜メニュー表示部に表示される調理メニューの数が少なくて済み、多数種類の調理メニューを全て表示する場合に比べて、１個の調理メニューの表示領域を広くとることができ、例えば大きな文字で見やすい表示を行うことが可能となる。そして、加熱調理を実行させるにあたっては、選抜された数少ない調理メニューのなかから所望の調理メニューを指示する操作を行えば良いので、指示の操作を容易とすることができる。また、使用者が、頻繁に使用するような調理メニューを自ら選抜することができ、いわば使用者の嗜好に合った操作部を設定することができるようになる。
【００１０】
より具体的には、各選抜メニュー表示部を、加熱調理器の操作パネルに設けられた１個のカード装着部と、１つの調理メニューが表示されていると共にそのメニューコードを表す判別部が一体的に設けられ夫々が前記カード装着部に着脱自在に装着可能な前記多数種類の調理メニューに対応した多数のカードとから構成し、メニュー選抜手段を、前記カード装着部に設けられ前記カードがこのカード装着部に装着されたときそのカードの前記判別部からその調理メニューを読取るための判別手段から構成し、前記操作部を、前記カード装着部に装着されたカードが押圧操作されたことに応答して調理実行手段に実行を指示するように構成することができる（請求項２の発明）。
【００１１】
これによれば、使用者が調理メニューを選抜するあたっては、選抜したい調理メニューが記されたカードをカード装着部に着脱自在に装着すれば良いので、選抜のために比較的複雑なキー操作等を行わずに済み、キー操作等に不慣れで苦手な使用者であっても、所望の調理メニューの選抜を極めて簡単に行うことができる。また、選抜する調理メニューを変更する際にも、カード装着部から前のカードを取外して別のカードを装着すれば良いので、その操作も簡単に行うことができる。さらには、ＬＣＤ等を用いずとも、カード自体を選抜メニュー表示部として構成させることもできるようになる。
【００１２】
このとき、カードに、調理メニューのコードを表す判別部を一体的に設けると共に、メニュー選抜手段を、前記カードがカード装着部に装着されたときそのカードの判別部からその調理メニューを読取るための判別手段から構成したことにより、カードの種類ひいては調理メニューの種類を判別手段により容易に判別することができる。また、操作部を、カード部分を押圧操作することによりそのカードに記された調理メニューが指示されるように構成したので、指示を行うにあたって使用者がどこを操作すれば良いか判りやすくすることができる。
【００１３】
そしてこのとき、選抜メニュー表示部とは別の表示部を設け、カード装着部にカードが装着されたとき又はそのカードに記された調理メニューが指示されたときに、前記表示部に、その調理メニューを表示するように構成することができる（請求項３の発明）。これによれば、使用者が表示部を見て、思った通りの調理メニューが選抜又は指示されたかどうかを確認することができ、誤操作ひいては誤った調理プログラムの実行を防止することができる。あるいは、表示部には、その調理メニューの番号を表示するようにしても良く（請求項４の発明）、これによれば、表示部には数字を表示すれば良くなり、その構成をより簡単に済ませることができる。
【００１４】
さらには、選抜メニュー表示部をタッチパネルから構成することにより、その選抜メニュー表示部が操作部を兼ねる構成とすることもできる（請求項５の発明）。これによれば、タッチパネルに少ない数の調理メニューを大きな文字で見やすく表示することができると共に、その調理メニュー部分を直接的にタッチ操作すれば指示を行うことができ、指示の操作が簡単となる。
【００１５】
【発明の実施の形態】
以下、本発明をオーブン機能付き電子レンジに適用した第１の実施例（請求項１〜３に対応）について、図１ないし図６を参照しながら説明する。まず、図１は、本実施例に係る加熱調理器たるオーブン機能付き電子レンジの本体１の外観を示している。
【００１６】
電子レンジの本体１内には、調理物（食品）が収容される図示しない加熱調理室が設けられていると共に、その右側に位置して機械室が設けられている。前記加熱調理室は、本体１の前面に設けられた扉２により開閉されるようになっている。また、詳しく図示はしないが、前記加熱調理室には、調理物をヒータ加熱するためのヒータ３（図２参照）が設けられていると共に、前記機械室内には、前記加熱室内に導波管を介してマイクロ波を供給するためのマグネトロン４（図２参照）やその駆動回路等が設けられている。
【００１７】
図２に示すように、前記ヒータ３及びマグネトロン４等は、マイクロコンピュータを主体として構成された制御部５により制御されるようになっている。また、この制御部５には、多数種類の調理メニューＭに対応した多数の調理プログラムを記憶した記憶手段たる記憶部６が接続されている。この記憶部６はＲＯＭ等から構成することができる。これにて、詳しくは後述するように、制御部５は、使用者により指示された調理メニューＭに対応する調理プログラムを前記記憶部６から読出して、その調理プログラムに従って加熱調理を自動的に実行するようになっている。また、使用者が、加熱の態様（レンジ強、レンジ弱、オーブン等）や加熱時間等を手動設定することに基づいて、加熱調理を実行するようになっている。
【００１８】
そして、図１に示すように、本体１の前面には、前記扉２の右側に位置して縦長の操作パネル７が設けられている。この操作パネル７の上部には、例えばフルドットＬＣＤからなる表示部８が設けられている。この表示部８は前記制御部５により制御され（図２参照）、図示はしないが、手動設定された加熱態様や加熱時間が表示されると共に、後述する選抜された調理メニューＭが表示されるようになっている。
【００１９】
また、操作パネル７の下部には、調理開始を指示するためのスタートキー９が設けられていると共に、「レンジ」，「オーブン」，「温度調節」等のいくつかの手動設定用キー１０が設けられ、さらに、ダイヤル式の時間設定つまみ１１が設けられている。図２に示すように、これらスタートキー９、手動設定用キー１０、時間設定つまみ１１の操作信号は、前記制御部５に入力されるようになっている。
【００２０】
さて、操作パネル７の中段部には、選抜メニュー表示部及び操作部を兼用するカード装着部１２が上下３段に設けられる。以下、このカード装着部１２について、図３ないし図６も参照して詳述する。即ち、まず本実施例では、本体１の付属品として、図６に示すような、上記した多数種類の調理メニューＭが夫々記された多数枚のカード１３を備えている。
【００２１】
このカード１３は、例えばプラスチック材料からなり、横長な矩形板状をなすカード主部１３ａの前面に調理メニューＭの番号Ｎと調理メニューＭ（図では、「１．牛乳あたため」）が例えば印刷により比較的大きな文字で記されている。また、図５にも示すように、カード主部１３ａの右端部から前方に突出するつまみ部１３ｂが一体に設けられると共に、カード主部１３ａの左端部から後方に直角に折曲がる突片部１４が一体に設けられている。そして、この突片部１４の先端には、該当する調理メニューＭのコードを縦４段の凹凸の組合わせにより表す判別部１４ａが設けられている。例えば「牛乳あたため」の調理メニューＭのコードは、上から凸，凹，凸，凹で表されている。
【００２２】
これに対し、前記カード装着部１２は、図３〜図５に示すように、この場合縦３段に設けられて３枚のカード１３の装着が可能とされており、夫々横長矩形状の操作板部１５とその操作板部１５の左側に形成された縦長のスリット１６とを備えている。図５に示すように、前記カード１３は、前記突片部１４をスリット１６に差込んで、操作板部１５の前面にカード主部１３ａが宛てがわれるようにして着脱自在に装着され、このとき、図示はしないが、操作板部１５の前面部には、カード１３（カード主部１３ａ）を保持する保持爪が設けられている。
【００２３】
そして、図４及び図５に示すように、操作パネル７の裏面側（内側）には、基板１７が設けられており、その基板１７のうち前記各スリット１６に対応する部分には、夫々判別手段として機能する判別用スイッチ１８が配設されている。この判別用スイッチ１８は、詳細には例えば縦に４個のタクトスイッチ１８ａを備えてなり（図４参照）、それらにより前記判別部１４ａの凹凸の状態（調理メニューＭのコード）を読取るように構成されている。
【００２４】
この判別用スイッチ１８の信号は、前記制御部５に入力されるようになっており、もって制御部５は、各段のカード装着部１２にどの種類の調理メニューＭのカード１３が装着されているかを認知することができるようになっている。これにて、使用者が、多数種類の調理メニューＭのなかから所望の調理メニューＭが記されたカード１３（最大３枚）を選んで、カード装着部１２に装着することにより、調理メニューＭが選抜されることになり、もってメニュー選抜手段が構成されているのである。
【００２５】
本実施例では、装着されたカード１３のカード主部１３ａに記された調理メニューＭが、操作パネル７の前面に表示されることになり、もって選抜メニュー表示部としての機能が果たされるようになっているのである。また、本実施例では、制御部５は、カード１３がカード装着部１２に装着されると、そのカード１３の調理メニューＭを前記表示部８に表示するようになっている。
【００２６】
さらに、前記操作板部１５は、図５に示すように、その左辺部において前記操作パネル７に対してばね性を有する接続部１９を介して取付けられた形態に設けられている。これにて、操作板部１５は、その接続部１９部分を支点として若干の回動が可能とされており、図示のように通常時（外力が作用しない時）には操作パネル７とほぼ面一状態にあり、前面側から押圧操作力を受けると、操作パネル７の内側に没するように弾性的に若干量回動するようになっている。その外力がなくなると、元の状態に戻る。
【００２７】
そして、操作板部１５の裏面部には、凸部１５ａが設けられており、前記基板１７には、その凸部１５ａに対応して選択スイッチ２０が設けられている。この選択スイッチ２０の信号は、前記制御部５に入力されるようになっており、制御部５は、各段の選択スイッチ２０がオン操作されたことを検知することができるようになっている。これにて、操作板部１５が、調理メニューＭを選択指示するための操作部として機能し、使用者がカード１３部分を押圧操作することにより、そのカード１３に記された調理メニューＭが選択指示されるようになっているのである。
【００２８】
前記制御部５は、いずれかのカード装着部１２の選択スイッチ２０がオン操作されると、そのカード装着部１２にセットされたカード１３に記された調理メニューＭに対応する調理プログラムを前記記憶部６から読出し、その調理プログラムに従って加熱調理を実行するようになっており、もって調理実行手段として機能するのである。
【００２９】
次に、上記構成の作用について述べる。電子レンジを使用するにあたり、使用者は、多種類存在する自動調理メニューＭのなかから、頻繁に使用すると考えられる調理メニューＭをこの場合３つまで選び、その調理メニューＭが記されたカード１３を操作パネル７のカード装着部１２に装着するようにする。このとき、カード１３の突片部１４がスリット１６に差込まれることにより、判別部１４の凹凸に応じて判別用スイッチ１８が動作し、制御部５は、その判別用スイッチ１８からの信号によって各段のカード装着部１２にどの種類の調理メニューＭのカード１３が装着されているかを認知する。
【００３０】
これにて、使用者が、所望のいくつかの調理メニューＭを選抜することができ、いわば使用者の嗜好に合った操作部が設定されることになるのである。この場合、使用者が調理メニューＭを選抜するあたっては、選抜したい調理メニューＭが記されたカード１３をカード装着部１２に着脱自在に装着するだけで良いので、選抜のために比較的複雑なキー操作等を行わずに済み、キー操作等に不慣れで苦手な使用者であっても、所望の調理メニューＭの選抜を極めて簡単に行うことができるようになる。
【００３１】
また、このとき、カード１３のうち調理メニューＭが記されたカード主部１３ａが、操作パネル７の表面（各操作板部１５の前面）に位置され、もってカード装着部１２部分が、選抜された調理メニューＭを大きな文字で見やすく表示する選抜メニュー表示部としての機能も果たすようになる。また、制御部５は、カード１３の調理メニューＭを表示部８に表示するようになっており、使用者は、表示部８を見て思った通りの調理メニューＭが選抜されているかどうかを確認することができるのである。
【００３２】
そして、使用者が調理メニューＭに基づく自動調理（例えば「牛乳のあたため」）を実行したい場合には、加熱調理室内に調理物（例えば冷たい牛乳）を収容した上で、「牛乳のあたため」の調理メニューＭが記されたカード１３部分を押圧操作する。すると、操作板部１５が押圧されてその裏面に位置する選択スイッチ２０がオンされ、制御部５は、「牛乳のあたため」の調理メニューＭが選択指示されたことを認識する。その後、スタートキー９がオン操作されると、制御部５は、記憶部６から、「牛乳のあたため」の調理メニューＭに対応する調理プログラムを読出し、その調理プログラムに従って自動調理を実行するのである。
【００３３】
この場合、調理メニューＭの選択は、選抜されている数少ない（３種類）調理メニューＭのうちのいずれかを選ぶだけで済むので、調理メニューＭの選択指示の操作が容易となる。しかもこのとき、上記のように選抜されたメニューが大きな文字で表示されているので、使用者にとって表示が見やすく、これと共に、調理メニューＭが記されているカード１３を直接的に押圧すれば良いので、選択指示を行うにあたって使用者がどこを操作すれば良いか判りやすくなり、誤操作等を少なくすることができるのである。
【００３４】
尚、使用者が、選抜されている調理メニューＭを変更したい場合、あるいは、選抜されていない調理メニューＭを実行したい場合には、カード１３を付替えることにより、容易に調理メニューＭの変更を行うことができ、この場合、カード１３の付替えの操作も、極めて簡単である。また、使用者が、操作パネル７の手動設定用キー１０等を操作して加熱の態様（レンジ強、レンジ弱、オーブン等）や加熱時間等を手動設定することに基づく、手動加熱調理の実行が可能であることは勿論である。
【００３５】
このように本実施例によれば、多種類の自動調理メニューＭに応じた調理プログラムを記憶し、使用者の選択指示した調理メニューＭに基づいて加熱調理を自動的に実行可能なものにあって、一家庭が頻繁に使用する調理メニューＭはたかだか数種類に過ぎない事情に鑑み、多数種類の調理メニューＭのなかからいくつかの調理メニューＭを選抜することにより、いわば使用者の嗜好に合った操作部を設定することができるように構成した。
【００３６】
この結果、従来のような、調理メニューＭの表示文字が小さくなって使用者にとって視認性が悪く、所望の調理メニューを選ぶまでに何度もキー操作やダイヤル操作を行わなければならなかったものと異なり、操作パネル７における調理メニューＭの視認性の向上及び調理メニューＭを選択指示する際の操作性の向上を図ることができるという優れた実用的効果を得ることができるものである。
【００３７】
また、特に本実施例では、カード装着部１２に対するカード１３の装着によって調理メニューＭの選抜を行うように構成したので、キー操作等に不慣れで苦手な使用者であっても、所望の調理メニューＭの選抜を極めて簡単に行うことができ、選抜調理メニューＭの変更も、カード１３の付替え操作により極めて簡単に行うことができる。また、大形のＬＣＤなどを用いることなく、カード１３自体を選抜メニュー表示部として利用することができるといったメリットも得ることができる。
【００３８】
しかも、本実施例では、カード１３の調理メニューＭを表示部８に表示するように構成したので、使用者が表示部８を見て調理メニューＭの確認を行うことができるようになり、誤操作等を未然に防止することができる。さらに、本実施例では、カード装着部１２を、選択スイッチ２０を操作する操作板部１５を有して構成し、カード１３部分を押圧操作することによりそのカード１３に記された調理メニューＭが選択指示されるようにしたので、調理メニューＭの選択指示を行うにあたっての操作性も良好とすることができるものである。
【００３９】
尚、上記第１の実施例では、カード装着部１２にカード１３が装着されたときにそのカード１３に記された調理メニューＭを表示部８に表示するようにしたが、その調理メニューＭの番号Ｎを表示部に表示するように構成しても良い（請求項４に対応）。これによれば、表示部には数字を表示すれば良くなるので、例えば７セグメントの表示素子から表示部を構成できるなど、構成をより簡単に済ませることができる。
【００４０】
さらには、選抜された全ての調理メニューＭを表示部８に表示するのではなく、調理メニューＭが選択指示されたときに、その調理メニューＭあるいはその番号Ｎを表示部８に表示する構成としても良く、これにより、やはり使用者は表示部８を見て調理メニューＭの確認をすることができ、誤操作などを防止することができる。また、カード装着部１２の構成としては、操作パネルの前面部にカードが収容されるポケットを設け、そのポケットに対してカードをスライドにより差込むような構成としても良い。
【００４１】
そして、図７は、本発明の第２の実施例（請求項５に対応）を示すものである。この実施例が上記第１の実施例と異なる点は、操作パネル２１の構成にあり、この実施例では、上記したようなカード１３を用いることに代えて、タッチパネル２２を用いて調理メニューＭの選抜や表示、さらには指示を行うように構成されている。
【００４２】
即ち、操作パネル２１の中段部には、タッチパネル２２が設けられていると共に、その下部に位置してメニュー設定キー２３及びダイアル２４が設けられている。前記タッチパネル２２は、周知のように、ＬＣＤの表面に透明電極を配設して構成され、例えば３個の調理メニューＭを上下３段に表示すると共に、使用者が指でタッチ操作した位置を検知できるようになっている。従って、タッチパネル２２が、メニュー表示部及び操作部として機能するようになっている。
【００４３】
この場合、例えば工場出荷状態においては、図７（ａ）に示すように、適当な３つの調理メニューＭが設定（選抜）されている。（図では、「牛乳のあたため」、「根菜のゆで物」、「スポンジケーキ」）。そして、使用者が、使用時に、例えば「牛乳のあたため」に代えて「酒のかん」の調理メニューＭを選抜したい場合には、まず、メニュー設定キー２３をオン操作し、引続き、タッチパネル２２上の変更したい箇所（「牛乳のあたため」部分）をタッチ操作する。
【００４４】
すると、図７（ｂ）に示すように、タッチパネル２２の上段部の「牛乳のあたため」が白黒反転するようになる。そこで、使用者がダイヤル２４を回動操作すると、タッチパネル２２の上段部の表示が順次切替わっていくようになり、「酒のかん」の表示が現れたところで、ダイヤル２４の操作を停止する（図７（ｃ）参照）。そして、再びメニュー設定キー２３をオン操作すれば、図７（ｄ）に示すように、表示の反転が戻って選抜操作が完了する。
【００４５】
このように使用者が３種類の調理メニューＭの選抜を行うことができ、それら調理メニューＭは、タッチパネル２２に比較的大きな文字で表示されるようになる。そして、使用者が調理メニューＭに基づく自動調理を実行したい場合には、タッチパネル２２上の該当する調理メニューＭ部分をタッチ操作すれば、その調理メニューＭが選択指示され、制御部５は、その調理メニューＭに対応する調理プログラムを記憶部６から読出し、その調理プログラムに従って自動調理を実行するのである。
【００４６】
このような実施例においても、上記第１の実施例と同様に、多数種類の調理メニューＭのなかからいくつかの調理メニューＭを選抜することにより、いわば使用者の嗜好に合った操作部を設定することができるようになり、操作パネル７における調理メニューＭの視認性の向上及び調理メニューＭを選択指示する際の操作性の向上を図ることができるという優れた実用的効果を得ることができるものである。この場合、タッチパネル２２に少ない数の調理メニューＭを大きな文字で見やすく表示することができ、調理メニューＭ部分を直接的にタッチ操作すれば選択指示を行うことができるので、選択指示の操作を判りやすく簡単に行うことができる。また、上記第１の実施例における付属品としての多数枚のカード１３を不要とすることができるものである。
【００４７】
その他、本発明は上記した各実施例に限定されるものではなく、例えばカードの判別部及び判別手段としては、カードにコードを示す孔（切欠き）を形成し、操作パネル側にその孔を検出する光センサを設けることにより実現するようにしても良い等、種々の変形が可能となる。また、選抜される調理メニューの数としては、２種類あるいは４種類以上であっても良く、さらには、１個の調理メニューのみを選抜する構成としても良いなど、要旨を逸脱しない範囲内で適宜変更して実施し得るものである。
【００４８】
【発明の効果】
以上の説明にて明らかなように、本発明の加熱調理器によれば、調理メニューに基づいて加熱調理を自動的に実行するものにあって、操作パネルにおける調理メニューの視認性の向上及びメニューを選択指示する際の操作性の向上を図ることができるという優れた効果を奏するものである。
【図面の簡単な説明】
【図１】本発明の第１の実施例を示すもので、電子レンジ本体の外観を示す斜視図
【図２】電気的構成を概略的に示すブロック図
【図３】操作パネルのカード装着部の正面図
【図４】カード装着部のスリットに沿う縦断側面図
【図５】カード装着部にカードが装着されている状態の横断平面図
【図６】カードの斜視図
【図７】本発明の第２の実施例を示すもので、調理メニューの選抜の手順を説明するためのタッチパネル部分の正面図
【符号の説明】
図面中、１は本体、５は制御部（調理実行手段）、６は記憶部、７，２１は操作パネル、８は表示部、９はスタートキー、１２はカード装着部、１３はカード、１４ａは判別部、１５は操作板部（操作部）、１８は判別用スイッチ（判別手段）、２０は選択スイッチ、２２はタッチパネル（選抜メニュー表示部、操作部）、２３はメニュー設定キー、２４はダイヤルを示す。
【図１】
0003640770.tif 000002
【図２】
0003640770.tif 000003
【図３】
0003640770.tif 000004
【図４】
0003640770.tif 000005
【図５】
0003640770.tif 000006
【図６】
0003640770.tif 000007
【図７】
0003640770.tif 000008